(57)【要約】【課題】  情報の読取／書込みを行うモジュールを可動的に構成したことにより、非接触カードに対する情報の読取／書込みを、カードを手に持った状態及び機械的に固定した状態の双方について可能となり、構造的な制約を生じることなく、様々な形態での使用が可能となった非接触カード取扱装置を提供すること。【解決手段】  非接触カード２０に対する情報の読取／書込み面２４ａを有する読取／書込みモジュール２４を、この読取／書込み面２４ａが、筐体外面の読取エリア１４と筐体内の読取／書込み位置２２の双方にそれぞれ対向できるように可動的に構成したので、非接触カード２０に対する情報の読取／書込みを、カードを手に持った状態及び機械的に固定した状態の双方について可能となり、操作性が向上する。また、構造的な制約を生じることはなく、様々な形態での使用が可能となった。【選択図】図１
2005284326.tif 000002
【特許請求の範囲】
【請求項１】
情報の読取／書込みが可能な非接触カードに対し、情報の読取／書込みを行う非接触カード取扱装置であって、
正面部に、操作メニューや読取られた情報を表示するタッチパネル式の表示部と、前記非接触カードを取り込むためのカード挿入部と、前記非接触カードを外部から接近させることにより非接触カードから情報を読取るための読取用エリアとを、それぞれ配置した筐体と、
この筐体内に設けられ、前記カード挿入部から挿入された非接触カードを所定の読取／書込み位置に位置決め固定するとともに、読取／書込み後に外部に排出させるカード入出機構と、
前記非接触カードに対する読取／書込み面を有し、この読取／書込み面が、前記筐体外面の読取エリアと前記筐体内の読取／書込み位置の双方にそれぞれ対向するように回動可能に構成された読取／書込みモジュールと、
を備えたことを特徴とする非接触カード取扱装置。
【請求項２】
読取／書込みモジュールは、その読取／書込み面が、表示部により指示された操作メニューにしたがって筐体外面の読取エリアと前記筐体内の読取／書込み位置とのいずれかと対向するように構成されていることを特徴とする請求項１に記載の非接触カード取扱装置。
【請求項３】
読取／書込みモジュールは、その読取／書込み面が常時筐体外面の読取りエリアに対向しており、非接触カードがカード挿入部に挿入されたことが検出されると、読取／書込み面が筐体内の読取／書込み位置との対向位置に変向されることを特徴とする請求項１又は請求項２に記載の非接触カード取扱装置。
【発明の詳細な説明】
【技術分野】
【０００１】
本発明は、情報の読取／書込みが可能な非接触カードに対し、情報の読取／書込みを行う非接触カード取扱装置に関する。
【背景技術】
【０００２】
近年、各種情報を非接触式のカードに書込み、必要に応じてこの情報を読み出して所定の処理を行うカードシステムが各分野において採用されている。その代表的なものとしてプリペイドカードシステムがあり、このプリペイドカードの運営に関する提案もなされている。
【０００３】
プリペイドカードは、データ保持可能なカードに金額データを保持させたもので、利用者は保持データに相当する金額で同カードを購入し、このカードを現金の代わりに取引に使用する。カードに保持された金額は、取引毎に支払い金額に相当する分が減算される。また、入金装置により所望の金額を入力することにより、入金金額がカードに書き込まれ、保持された金額データに加算される。さらに、カードに保持されている金額データを読み出し、残金を確認することも可能である。
【０００４】
このようなカードシステムでは、非接触カードに対する情報の読取／書込み操作が専門家でない一般使用者により行われるため、操作の容易性および確実性が強く望まれている。
【０００５】
従来非接触カードに対する情報の読取／書込みは、利用者がカードを持った状態で行うタイプと、カードを装置内部に取り込んで機械的に固定した状態で行うタイプに分かれていた。
【０００６】
カードを手に持った状態で情報の読取／書込みを行うタイプでは、単にカードを読取り部分に近づけるだけの操作で行えるので操作が容易であり、情報の読取に限っては極めて便利である。しかし、情報を書き込む場合は、手ぶれなどにより、情報が正確に書き込まれないことがあり、情報の書き込みには使用しない方が望ましい。
【０００７】
カードを装置内部に取り込んで機械的に固定した状態で読取／書込みを行うタイプでは、カードが機械的に固定されるため、正確な情報の読取／書込みが可能になる。しかし、使用者はカードをカードケース等から一々取り出してカードを装置内に挿入しなければならず操作が煩雑になる。特に残金確認等のように、カードに保持されている情報を確認したい場合などは、このような煩雑な操作を要することなく、カードを手に持った状態で行えることが望ましい。
【０００８】
そこで、情報の読取／書込みを、カードを手に持った状態と、カードを装置内部に取り込んで機械的に固定した状態との双方で行えるようにすることが考えられた（例えば、特許文献１参照）。
【０００９】
しかし、この方法では非接触カードに対する情報の読取／書込みを行うモジュールが固定的に配置されているため、構造的に制限が生じ、適用可能な装置も限られ、使い勝手も好ましいものではなかった。
【特許文献１】特開平１１−１６１７５１号公報
【発明の開示】
【発明が解決しようとする課題】
【００１０】
このように、非接触カードに対する情報の読取／書込みを行う場合、従来装置では構造的な制限があるため、カードを手に持った状態と、カードを装置内に取り込んで機械的固定した状態との双方について、利用者が容易に操作できるように構成されていなかった。
【００１１】
本発明の目的は、情報の読取／書込みを行うモジュールを可動的に構成したことにより、非接触カードに対する情報の読取／書込みを、カードを手に持った状態及び機械的に固定した状態の双方について可能となり、構造的な制約を生じることなく、様々な形態での使用が可能となった非接触カード取扱装置を提供することにある。
【課題を解決するための手段】
【００１２】
本発明の非接触カード取扱装置は、情報の読取／書込みが可能な非接触カードに対し、情報の読取／書込みを行う非接触カード取扱装置であって、正面部に、操作メニューや読取られた情報を表示するタッチパネル式の表示部と、前記非接触カードを取り込むためのカード挿入部と、前記非接触カードを外部から接近させることにより非接触カードから情報を読取るための読取エリアとを、それぞれ配置した筐体と、この筐体内に設けられ、前記カード挿入部から挿入された非接触カードを所定の読取／書込み位置に位置決め固定するとともに、読取／書込み後に外部に排出させるカード入出機構と、前記非接触カードに対する読取／書込み面を有し、この読取／書込み面が、前記筐体外面の読取エリアと前記筐体内の読取／書込み位置の双方とそれぞれ対向するように回動可能に構成された読取／書込みモジュールとを備えたことを特徴とする。
【００１３】
また、本発明では、読取／書込みモジュールは、その読取／書込み面が、表示部により指示された操作メニューにしたがって、筐体外面の読取エリアと前記筐体内の読取／書込み位置とのいずれかと対向するように構成されている。
【００１４】
さらに、本発明では、読取／書込みモジュールは、その読取／書込み面が、常時筐体外面の読取りエリアに対向しており、非接触カードがカード挿入部に挿入されたことが検出されると、読取／書込み面を筐体内の読取／書込み位置との対向位置に変向されるように構成してもよい。
【発明の効果】
【００１５】
本発明によれば、前記非接触カードに対する読取／書込み面を有する読取／書込みモジュールを、この読取／書込み面が、筐体外面の読取エリアと筐体内の読取／書込み位置の双方にそれぞれ対向できるように回動可能に構成したので、非接触カードに対する情報の読取／書込みが、カードを手に持った状態及び機械的に固定した状態の双方について可能となり、操作性が向上する。また、構造的な制約を生じることはなく、様々な形態での使用が可能となった。
【発明を実施するための最良の形態】
【００１６】
以下、本発明による非接触カード取扱装置の一実施の形態について、図面を用いて詳細に説明する。
【００１７】
図１は、この実施の形態による非接触カード取扱装置の要部構成を拡大して示す部分図、図２は、図１で示した要部構成を含む全体構成を示す斜視図である。
【００１８】
始に、図２によって全体構成を説明する。１１は筐体で、その上部正面部は上向きに傾斜しており、この傾斜面には、操作メニューや読取られた情報を表示するタッチパネル式の表示部１２が設けられている。１３はカード挿入部で、この筐体１１の正面部の、上記表示部１２の下方に設置されており、非接触カードを筐体１１内に取り込むために用いられる。１４はカード情報の読取エリアで、カード挿入部１３近くの筐体１１の正面部、すなわち、表示部１２と同じく傾斜面に設定されている。この読取エリア１４は、この部分に非接触カードを外部から接近させることにより、筐体１１内に設けられた後述するモジュールにより、非接触カードに保持された情報を読取るために用いられる。
【００１９】
この非接触カード取扱装置は、この実施の形態ではプリペイドカードの発行装置として使用されており、筐体１１の正面部には、上記のほかに、入金装置１６、レシートプリンタ１７、釣銭或いは払戻金の出金装置１８などが設けられている。
【００２０】
次に、図１により筐体１１内の要部構成を説明する。図１は、図２で示したカード挿入部１３及び読取エリア１４に関係する筐体１１内部を側面から見た図である。
【００２１】
２１はカード入出機構で、カード挿入部１３に対応する筐体１１内に設けられ、カード挿入部１３から挿入された非接触カード２０を、所定の読取／書込み位置２２に搬送して、この位置２２に機械的に位置決め固定する。また、カードに２０に対する読取／書込みが終了した後に、カード２０をカード挿入部１３から外部に排出させる。
【００２２】
２４は読取／書込みモジュール（以下、単にモジュールと呼ぶ）で、非接触カード２０に対する情報の読取／書込み面２４ａを有する。このモジュール２４は、筐体１１内においてモータを主体とした駆動機構２５により回動可能に構成されている。そして、この回動により、読取／書込み面２４ａが、筐体外面の読取エリア１４と筐体内の読取／書込み位置２２との双方と、それぞれ対向できるように位置設定されている。
【００２３】
駆動機構２５は、利用者により表示部１２を用いて指示された操作メニューにしたがって、モジュール２４の読取／書込み面２４ａを、筐体外面の読取エリア１４或いは筐体内の読取／書込み位置２２と対向するように回動させる。
【００２４】
上記構成において、利用者が非接触カード２０に保持されたデータを読み取る場合、例えば非接触カード２０がプリペイドカードであり、その残金金額を確認したい場合、利用者は、タッチパネル式の表示部１２に表示された操作メニューから「残金確認」を選択する。この操作により、筐体１１内のモジュール２４は、その読取／書込み面２４ａが、図１の実線で示すように、筐体外面の読取エリア１４と対向するように駆動機構２５により角度設定される。
【００２５】
利用者は、この状態で非接触カード（プリペイドカード）２０を、矢印Ａで示すように、読取エリア１４に接近させる。この操作により、非接触カード２０に保持された情報（この例では残金金額）がモジュール２４の読取／書込み面２４ａによって読取られる。読取られた情報は、図示しない情報処理部により表示部１２に表示されるので、利用者は、表示内容から非接触カード２０に保持されている情報（残金金額）を確認することができる。
【００２６】
このように、非接触カード２０を読取りエリア１４に接近させるだけでこのカード２０に保持されている情報を読み取り、把握することができる。すなわち、非接触カード２０を、カードケースから取り出すような煩雑な操作を要せず、容易にカードに保持された情報を把握することができる。
【００２７】
次に、被接触カード２０に情報を書き込む場合、例えば、プリペイドカード２０に入金金額を書き込む場合を説明する。この場合、利用者は、タッチパネル式の表示部１２に表示された操作メニューから「入金」を選択する。この操作により、筐体１１内のモジュール２４は、駆動機構２５によって回動され、その読取／書込み面２４ａが、図１の破線で示すように、筐体内の読取／書込み位置２２と対向するように角度設定される。
【００２８】
利用者は、この状態で非接触カード（プリペイドカード）２０を、矢印Ｂで示すように、カード挿入部１３から筐体１１内に挿入する。挿入された非接触カード２０は、カード出入機構２１により筐体内の読取／書込み位置２２に移送され、この位置２２に機械的に位置決め固定される。
【００２９】
この状態において、利用者は所望の金額を入金装置１６から入金すると、図示しない金額読取装置が金額を読取り、その金額データを図示しない情報処理部により表示部１２に表示するとともに、読取／書込み位置２２と対向しているモジュール２４の読取／書込み面２４ａにより、読取／書込み位置２２に位置決め固定されている非接触カード２０にこの金額データを書き込む。
【００３０】
このように、情報の書込みを行う場合は、非接触カード２０を筐体内の読取／書込み位置２２に機械的に正しく位置決め固定するので、情報の書込みを正しく確実に行うことができる。すなわち、カードを手持ちした場合のように、手ぶれなどにより正しく情報が書き込まれないことを防止でき、正確な情報書込みが可能となる。
【００３１】
なお、カードがコンビネーションカードであり、接触ＩＣ方式で認証を行うような場合も、対応するカードを挿入部１３から挿入し、図示しない認証部によって認証を行えばよい。認証が必要でない場合は、筐体外の読取エリア１４にカードを接近させて処理を行うことができる。
【００３２】
上記実施の形態では、駆動機構２５は、表示部１２により利用者から指示された操作メニューにしたがって、モジュール２４の読取／書込み面２４ａを、筐体外面の読取エリア１４或いは筐体内の読取／書込み位置２２と対向するように回動させているが、本発明はこれに限定されるものではない。例えば、駆動機構２５は、モジュール２４の読取／書込み面２４ａを、常時は筐体外面の読取りエリア１４に対向させておき、非接触カード２０がカード挿入部１３に挿入されたことが検出されると、読取／書込み面２４ａを筐体内の読取書込み位置２２に対向させるようにしてもよい。
【００３３】
このように、モジュール２４を、その読取／書込み面２４ａが、筐体外面の読取エリア１４と筐体内の読取／書込み位置２２とのそれぞれと対向するように回動可能に構成したので、１つのモジュール２４により、図２で示すような形態の装置に組み込むことが可能となる。したがって、モジュールを固定した場合のように、構造上の制約を受けることなく各種形態の装置にも適用できる。
【図面の簡単な説明】
【００３４】
【図１】本発明による非接触カード取扱装置の一実施の形態を示す要部構成図である。
【図２】同上一実施の形態の全体構成を示す斜視図である。
【符号の説明】
【００３５】
１１    筐体
１２    表示部
１３    カード挿入部
１４    読取エリア
２０    非接触カード
２１    カード出入機構
２２    読取／書込み位置
２４    読取／書込みモジュール
２４ａ    読取／書込み面
【図１】
2005284326.tif 000003
【図２】
2005284326.tif 000004